(57)【要約】【課題】  埃等の蓄積により充電用端子や信号用端子の端子間のショートを防止することができる充電器の提供。【解決手段】  埃が傾斜面１１Ａを伝って台部上面３３Ａからターミナルブロック３８内部へ流入する。流入した埃は傾斜面１１Ａの下方へ向かって流れて行き、ターミナルブロック貫通孔３４ａから流出し、さらにターミナルカバー貫通孔１２ａから上側ハウジング１０の外部へ排出される。【選択図】図３
2008236882.tif 000002
【特許請求の範囲】
【請求項１】
ハウジングにターミナルカバー、ターミナルブロックが取付けられており、該ターミナルブロックには流入側開口部から該ターミナルブロック内部へ流入した埃および異物等を排出するための排出側開口部が設けられていることを特徴とする充電器。
【請求項２】
該ターミナルブロックは、該流入側開口部から該排出側開口部へ向けて下方へ傾斜していることを特徴とする請求項１記載の充電器。
【請求項３】
該該ターミナルカバーには少なくとも１つの排出開口部が設けられていることを特徴とする請求項１記載の充電器。
【請求項４】
該排出側開口部は、該ターミナルブロックの傾斜面下側に形成されていることを特徴とする請求項１乃至請求項３のいずれか一記載の充電器。
【請求項５】
該流入側開口部は充電端子を該上側ハウジング外部へ露出させるための開口部であることを特徴とする請求項１乃至請求項５のいずれか一記載の充電器。
【請求項６】
該ハウジングは、上側ハウジングと下側ハウジングを有し、上側ハウジングは、該充電端子に充電池の充電池充電端子を接触させるために該充電池を該上側ハウジングにおいて摺動させて該充電端子の方向へ該充電池充電端子を導くためのスライドレールを有することを特徴とする請求項６記載の充電器。
【発明の詳細な説明】
【技術分野】
【０００１】
本発明は、充電池を充電するための充電器に関する。
【背景技術】
【０００２】
上側ハウジングと下側ハウジングとを有し、これら上側ハウジングと下側ハウジングとによってハウジング内空間が画成される充電器が従来より知られている。
【０００３】
図５は充電器の側断面図を示し、上側ハウジング５１と下側ハウジング５２とを有しており、上側ハウジング５１と下側ハウジング５２とによってハウジング内空間が画成されている。
【０００４】
上側ハウジング５１には開口部が設けられており開口部にはターミナルホルダ５３が取付けられ、充電池の充放電端子が挿入される。充電充放電端子が挿入されるターミナルホルダ５３には充電端子５４が設けられている。
【発明の開示】
【発明が解決しようとする課題】
【０００５】
しかし、上述の従来の充電器では、端子５４の傾斜面下側に埃および異物等が溜まり、端子のショートの原因になった。
【０００６】
そこで、本発明は、端子の傾斜面下側に流入する埃や異物等を排出し、端子のショートを防止できる充電器を提供することを目的とする。
【課題を解決するための手段】
【０００７】
上記目的を達成するために、本発明は、ハウジングにターミナルカバー、ターミナルブロックが取付けられており、該ターミナルブロックには流入側開口部から該ターミナルブロック内部へ流入した埃等を排出するための排出側開口部が設けられている充電器を提供している。
【０００８】
ここで、該ターミナルブロックは、該流入側開口部から該排出側開口部へ向けて下方へ傾斜していることが好ましい。
【０００９】
該流路は、ターミナルブロックおよびハウジングを形成する上側ハウジングからなることが好ましい。
【００１０】
該ハウジングの該ターミナルカバーには少なくとも１つの排出開口部が設けられていることが好ましい。
【００１１】
該流入側開口部は充電端子を該ハウジング外部へ露出させるための開口部であることが好ましい。
【００１２】
該ハウジングは上側ハウジング及び下側ハウジングを有し、上側ハウジングは、該充電端子に充電池の充電池充電端子を接触させるために該充電池を該上側ハウジングにおいて摺動させて該充電端子の方向へ該充電池充電端子を導くためのスライドレールを有することが好ましい
【発明の効果】
【００１３】
本発明の請求項１記載の充電器によれば、ターミナルブロックには排出側開口部が設けられているため、流入側開口部からターミナルブロック内部へ流入した埃および異物等を排出することができる。このため、ターミナルホルダの端子間に埃および異物等が溜まることなく、端子間のショートを防ぐことができる。
【００１４】
本発明の請求項２記載の充電器によれば、ターミナルブロックは、流入側開口部から排出側開口部へ向けて下方へ傾斜しているため、流入側開口部からターミナルブロック内部にから流入した埃および異物等を自然に排出することができる。
【００１５】
本発明の請求項３記載の充電器によれば、ハウジングのターミナルカバーには排出開口部が設けられているため、ターミナルブロックの排出側開口部から排出された埃および異物等をターミナルカバーの排出開口部からターミナルカバー内空間外へ排出することができる。
【００１６】
本発明の請求項５記載の充電器によれば、流入側開口部は充電端子をハウジング外部へ露出させるための開口部であるため、当該部分を通してハウジングの外部へ充電端子を露出させることができる。
【００１７】
本発明の請求項６記載の充電器によれば、ハウジングは上側ハウジング及び下側ハウジングを有し、充電端子に充電池の充電池充電端子を接触させるために充電池を上側ハウジングにおいて摺動させて充電端子の方向へ充電池充電端子を導くためのスライドレールを有しており、充電池を取り付けた際に充電池先端部に押された埃および異物等を内空間外へ排出することができる。
【発明を実施するための最良の形態】
【００１８】
本発明の実施の形態による充電器について図１乃至図４に基づき説明する。図１に示されるように、充電器１は、上側ハウジング１０と下側ハウジング２０とを有しており、上側ハウジング１０と下側ハウジング２０とによって充電器１の外殻が構成される。
【００１９】
下側ハウジング２０は有底且つ上面全面が開口部をなす略直方体形状をなしている。上側ハウジング１０は、下側ハウジング２０の開口部を覆うように構成されており、下側ハウジング２０の略長方形状をなす当該開口部の長手方向における図１（ａ）の略右半分には、充電池を充電するときに充電器１をセットする充電池セット部１１が設けられている。
【００２０】
充電池セット部１１は、下側ハウジング２０の略長方形状をなす開口部の長辺の一方から他方へと向かう方向、すなわち、図２の右上方向から左下方向へ向かって、下側ハウジング２０の方へ接近する方向である下方へ傾斜する傾斜面１１Ａを有している。傾斜面１１Ａは図２の右上方向から左下方向へ向かって所定の位置まで延出しており、その下方に後述のターミナルカバー１３が設けられている。
【００２１】
ターミナルカバー１３には、図２等に示されるように、ターミナルカバー内部と上側ハウジング外部を貫通する貫通孔１２ａが、ターミナルカバー１３を構成する側壁に３つ形成されている。貫通孔１２ａは排出開口部に相当する。
【００２２】
また傾斜面１１Ａにはスライドレール１１Ｃを有しており、スライドレール１１Ｃは上側ハウジング１０と一体成形されてなり、傾斜面１１Ａの傾斜の上下を結ぶ方向に傾斜面１１Ａに平行に延出して設けられている。スライドレール１１Ｃは、後述の充電用端子３６に図示せぬ充電池の充電用端子を接触させて電気的に接続するために、図示せぬ充電池のレールをスライドレール１１Ｃに摺動させて充電用端子３６の方向へ充電池の充放電端子を導くことができるように構成されている。
【００２３】
また、傾斜面１１Ａには端子露出用貫通孔１１ｂが形成されている。端子露出用貫通孔１１ｂは、上側ハウジング１０の長手方向、即ち、図２の左上と右下とを結ぶ方向へ延出しており、開口部が略長方形状をなしている。端子露出用貫通孔１１ｂには、図１に示されるように、後述するターミナルブロック３８を保持するターミナルホルダ３０の一部及びターミナルブロック３８の一部が、ハウジング内空間１ａから上側ハウジング１０の外側へ向けて貫通して突出している。
【００２４】
傾斜面１１Ａの傾斜の下方に相当する端子露出用貫通孔１１ｂの開口部の位置には、図２に示されるように、端子露出用貫通孔１１ｂから上側ハウジング１０の外部へ突出している後述のターミナルホルダ３０の一部及びターミナルブロック３８の一部を覆い保護するターミナルカバー１３が設けられている。ターミナルカバー１３は、略長方形状をした端子露出用貫通孔１１ｂの一の長辺であって傾斜面１１Ａの傾斜の下方に位置する長辺から立設する第１側壁部１３Ａと、略長方形状をした端子露出用貫通孔１１ｂの一対の短辺の部分であって略長方形状をした端子露出用貫通孔１１ｂの一の長辺から他の長辺へ向かった所定の位置までの部分から立設する一対の第２側壁部１３Ｂ、１３Ｂと、これら第１側壁部１３Ａの延出端及び一対の第２側壁部１３Ｂ、１３Ｂの延出端に接続された天井壁１３Ｃとによって構成されており、端子露出用貫通孔１１ｂの一部であって傾斜面１１Ａの傾斜の下方に相当する部分を覆っている。
【００２５】
ハウジング内空間１ａには、ターミナルホルダ３０と図示せぬ回路基板とが設けられている。ターミナルホルダ３０は、図示せぬネジによって上側ハウジング１０の内周面に取り付けられており、図４に示されるように、略長方形状をした板状部３１と板状部３１から立設するターミナル保持部３２とを有している。ターミナル保持部３２は、板状部３１の上面よりも高台をなす台部３３と、台部３３の上面から垂直に延出する垂直壁３４と、垂直壁３４の延出端から板状部３１の上面に平行に延出する天井壁３５とを有しており、垂直壁３４において、充電用端子３６や信号用端子３７を有するターミナルブロック３８を保持している。充電用端子３６は充電端子に相当する。
【００２６】
充電用端子３６や信号用端子３７は、それぞれ略板状をなしており、図４に示されるように板状部３１の上面に垂直をなして板状部３１の上面に平行の方向であって天井壁３５の延出方向及びその反対方向に延出している。天井壁３５の延出方向へ垂直壁３４から延出する充電用端子３６や信号用端子３７の部分は、図示せぬ充電池の充電用端子３６と接触して電気的に接続可能である。また、充電用端子３６や信号用端子３７はそれぞれ図示せぬ回路基板に電気的に接続されている。
【００２７】
垂直壁３４に保持されるターミナルブロック３８が有する充電用端子３６や信号用端子３７の間にはターミナルブロック貫通孔３４ａが形成されている。ターミナルブロック貫通孔３４ａは排出側開口部に相当する。ターミナルブロック貫通孔３４ａはターミナルカバー内部を介し、図３に示されるようにターミナルカバー貫通孔１２ａに連通している。従って上側ハウジング１０の外部から開口部を通してターミナルホルダ内部へ流入した埃および異物等をターミナルカバー貫通孔１２ａへと流す排出路を構成する。傾斜面１１Ａと同一高さ面でつながるターミナルブロック３８を画成する台部上面３３Ａの部分は流入側開口部に相当する。
【００２８】
図示せぬ回路基板はターミナルブロック３８の充電用端子３６や信号用端子３７に電気的に接続されており、充電用端子３６や信号用端子３７に充電池側の充放電端子や信号用端子が電気的に接続されることにより、充電を行うことができるように構成されている。
【００２９】
充電器１を用いて図示せぬ充電池を充電する際には、まず、図示せぬ充電池の外周面に設けられているレールの一端を充電器１のスライドレール１１Ｃの上端に係合させ、スライドレール１１Ｃに沿って充電池を傾斜面１１Ａの下方へ向かって摺動させてゆき、図示せぬ充電池の充放電用端子及び信号用端子を充電器１の充電用端子３６及び信号用端子３７に接触させて電気的に接続した状態とする。このことにより図示せぬ充電池に対する充電が開始される。図示せぬ充電池の充放電用端子は充電池充電端子に相当する。
【００３０】
未使用時の粉塵が舞う環境において、埃が台部上面３３Ａからターミナルブロック３８内部へ流入する。流入した埃は、傾斜面１１Ａの下方へ向かって流れて行き、図３の矢印で示されるように、ターミナルブロック貫通孔３４ａから流出し、さらにターミナルカバー貫通孔１２ａから上側ハウジング１０の外部へ排出することができる。
【００３１】
このため、充電用端子３６や信号用端子３７の端子間のショートを防止することができ、端子カバー等の付属部品を削除することができる。
【００３２】
また、ターミナルホルダ３０の形状や上側ハウジング１０や下側ハウジング２０等の形状は本実施の形態のものに限定されない。同様に、充電用端子３６や信号用端子３７等の形状や数についても本実施の形態のものに限定されない。
【００３３】
なお、上記実施形態では、スライドレールが充電器本体に対して斜めに形成され、電池パックがスライドレールに沿って斜め方向に移動することにより、充電器と電池パックの端子が接続される充電器を対象としたが、スライドレールがほぼ垂直方向に伸び上下方向に電池パックを移動させることにより、両端子が接続されるようにした充電器を対象としても良く、本願発明と同様の作用効果を奏し得るものである。
【図面の簡単な説明】
【００３４】
【図１（ａ）】本発明の実施の形態による充電器を示す前方斜視図。
【図１（ｂ）】本発明の実施の形態による充電器を示す後方斜視図。
【図２】本発明の実施の形態による充電器の上側ハウジングと下側ハウジングと保持部材とを示す分解斜視図。
【図３】本発明の実施の形態による充電器の上側ハウジングと下側ハウジングと保持部材とを示す断面図。
【図４】本発明の実施の形態による充電器の保持部材を示す前方斜視図。
【図５】従来例の充電器の上側ハウジングと下側ハウジングと保持部材とを示す断面図。
【符号の説明】
【００３５】
１・・・充電器、１ａ・・・ハウジング内空間、１０・・・上側ハウジング、１１・・・充電池セット部、１１Ｃ・・・スライドレール、１１ｂ・・・端子露出用貫通孔、１２ａ・・・ターミナルカバー貫通孔、１３・・・ターミナルカバー、２０・・・下側ハウジング、３０・・・ターミナルホルダ、３４ａ・・・ターミナルブロック貫通孔、３６・・・充電用端子、３７・・・信号用端子、３８・・・ターミナルブロック
【図１（ａ）】
2008236882.tif 000003
【図１（ｂ）】
2008236882.tif 000004
【図２】
2008236882.tif 000005
【図３】
2008236882.tif 000006
【図４】
2008236882.tif 000007
【図５】
2008236882.tif 000008